(57)【要約】【課題】各建物に節電を喚起する電力管理システムを提供することを目的とする。【解決手段】分電盤１４は、系統電力から供給される電力の電流値を計測する主幹電流センサ１６を備え、同じく分電盤１４に設けられた電力算出部２０は、主幹電流センサ１６が計測した電流値を取得し、取得した電流値から建物１２Ａの消費電力量を当該電流値を取得した時刻に対応付けて算出し、ＨＥＭＳ３０は、建物１２Ａの消費電力量を、当該消費電力量に対応付けられた時刻の情報と共に通信回線２６を介して情報センターに６０送信する。操作端末３２は、通信回線２８を介して建物１２Ａ及び建物１２Ｂ〜１２Ｄから送信された建物１２Ａ〜１２Ｄの消費電力量に基づいて算出された建物１２Ａ〜１２Ｄの消費電力量の順位の情報を情報センター６０から受信して表示することができる。【選択図】図１
2014023378.tif 000002
【特許請求の範囲】
【請求項１】
系統電力から建物の分電盤に供給される電力の電流値を計測する主幹電流計測手段と、
前記主幹電流計測手段が計測した電流値を取得し、該取得した電流値から前記建物の消費電力量を該電流値を取得した時刻と対応付けて算出する電力算出手段と、
前記電力算出手段が算出した前記消費電力量を前記消費電力量に対応付けられた時刻の情報と共に通信網を介して情報センターに送信する送信手段と、
前記通信網を介して前記建物が属している配電対象地域の各建物から送信された前記各建物の消費電力量及び該消費電力量に対応付けられた時刻の情報に基づいて前記情報センターが算出した前記配電対象地域に属する各建物の消費電力量の順位の情報を前記情報センターから受信する受信手段と、
前記電力算出手段が算出した前記建物の消費電力量及び該消費電力量に対応付けられた時刻並びに前記情報センターから受信した情報を表示可能な表示手段と、
を備える電力管理システム。
【請求項２】
前記情報センターは、前記配電対象地域に属する各建物の消費電力量のうち前記対応付けられた時刻が同一である各建物の消費電力量を集計し、該集計された消費電力量が所定の閾値以上となった時刻をピーク時間帯が始まった時刻とすると共に、前記集計された消費電力量が前記所定の閾値未満となった時刻を前記ピーク時間帯が終了した時刻とし、前記ピーク時間帯において前記配電対象地域に属する各建物の消費電力量の順位を算出する請求項１に記載の電力管理システム。
【請求項３】
前記情報センターは、前記ピーク時間帯が始まった時刻に、前記ピーク時間帯の開始情報を前記配電対象地域に属する各建物に配信し、
前記表示手段は、音声出力が可能な音声出力手段をさらに備え、前記受信手段が前記ピーク時間帯の開始情報を受信した場合に、前記ピーク時間帯の開始を表示すると共に、警告音を出力する請求項１又は２に記載の電力管理システム。
【請求項４】
前記情報センターは、前記配電対象地域に供給可能な電力量の情報を前記系統電力の供給者から受信し、前記配電対象地域に供給可能な電力量の情報と前記配電対象地域に属する各建物の消費電力量と該消費電力量に対応付けられた時刻とに基づいて、前記配電対象地域における電力供給の余力を実時間処理で算出し、該算出した前記配電対象地域における電力供給の余力情報を前記配電対象地域に属する各建物に配信し、
前記表示手段は、前記実時間処理で算出された前記配電対象地域における電力供給の余力を表示する請求項１〜３のいずれか１項に記載の電力管理システム。
【請求項５】
前記情報センターは、前記配電対象地域に属する各建物の消費電力量及び前記配電対象地域に属する各建物の消費電力量の順位を記憶し、該記憶した前記配電対象地域に属する各建物の消費電力量及び前記配電対象地域に属する各建物の消費電力量の順位に基づいて、事前に前記配電対象地域に属する各建物の消費電力量の順位を予測する請求項１〜４の何れか１項に記載の電力管理システム。
【請求項６】
前記情報センターは、前記配電対象地域に属する建物が系統電力以外の他の電源から電力供給が可能な場合に、該他の電源から電力供給を受けたときの前記配電対象地域に属する各建物の消費電力量の順位を予測する請求項５に記載の電力管理システム。
【請求項７】
前記建物の分電盤が有する複数の分岐回路に各々設けられ、前記複数の分岐回路に各々接続されている電力負荷手段への通電電流の電流値を計測する複数の分岐回路電流計測手段をさらに備え、
前記電力算出手段は、前記複数の分岐回路電流計測手段が計測した電流値を取得し、該取得した電流値から各分岐回路の消費電力量を該電流値を取得した時刻と対応付けて算出し、
前記表示手段は、前記各分岐回路の消費電力及び該消費電力量に対応付けられた時刻を表示可能な請求項１〜６のいずれか１項に記載の電力管理システム。
【請求項８】
前記表示手段は、
前記電力算出手段が算出した前記建物の消費電力量及び前記各分岐回路における消費電力量を表示可能な第１の表示手段と、
前記受信手段が前記情報センターから受信した情報を表示する第２の表示手段と、
を含む請求項１〜７のいずれか１項に記載の電力管理システム。
【発明の詳細な説明】
【技術分野】
【０００１】
本発明は、電力が供給されている地域内での各建物の消費電力量の順位を各建物において表示させることにより、各建物の電力のユーザに節電を喚起する電力管理システムに関する。
【背景技術】
【０００２】
以前から、地域内の各住宅の消費電力量を比較する電力監視システムが提案されている。
【０００３】
例えば、特許文献１に記載の技術では、ユーザが自宅の電気使用量と、他の家庭での電気使用量とを比較することで、自宅の電気使用量の傾向を把握することができ、省エネルギーを図る行動の指標を得ることが容易となる電力監視システムが提案されている。
【先行技術文献】
【特許文献】
【０００４】
【特許文献１】特開２００８−９２６８１号公報
【発明の概要】
【発明が解決しようとする課題】
【０００５】
しかしながら、特許文献１に記載の技術では、電力が供給されている地域内での各戸の電気使用量の順位を表示しないため、ユーザへの節電の喚起が十分ではないという問題点があった。
【０００６】
本発明は、上記事実を考慮して成されたもので、電力が供給されている地域内での各建物の消費電力量の順位を各建物において表示させることにより、各建物の電力のユーザに節電を喚起する電力管理システムを提供することを目的とする。
【課題を解決するための手段】
【０００７】
上記目的を達成するために請求項１に記載の発明は、系統電力から建物の分電盤に供給される電力の電流値を計測する主幹電流計測手段と、前記主幹電流計測手段が計測した電流値を取得し、該取得した電流値から前記建物の消費電力量を、該電流値を取得した時刻と対応付けて算出する電力算出手段と、前記電力算出手段が算出した前記消費電力量を前記消費電力量に対応付けられた時刻の情報と共に通信網を介して情報センターに送信する送信手段と、前記通信網を介して前記建物が属している配電対象地域の各建物から送信された前記各建物の消費電力量及び該消費電力量に対応付けられた時刻の情報に基づいて前記情報センターが算出した前記配電対象地域に属する各建物の消費電力量の順位の情報を前記情報センターから受信する受信手段と、前記電力算出手段が算出した前記建物の消費電力量及び該消費電力量に対応付けられた時刻並びに前記情報センターから受信した情報を表示可能な表示手段と、を備えることを特徴としている。
【０００８】
請求項１に記載の発明によれば、主幹電流計測手段は、系統電力から建物の分電盤に供給される電力の電流値を計測する。
【０００９】
電力算出手段は、主幹電流計測手段が計測した電流値に基づいて建物の消費電力量を算出する。
【００１０】
送信手段は、算出した建物の消費電力量を情報センターに送信する。
【００１１】
受信手段は、情報センターが算出した、配電対象地域に属する各建物の消費電力量の順位の情報を情報センターから受信する。
【００１２】
表示手段は、建物の消費電力量及び情報センターから受信した情報を表示するＬＣＤ（Liquid Crystal Display）等の表示装置であり、各建物の消費電力量の順位の情報を表示することにより、各建物のユーザに節電を喚起できる。
【００１３】
なお、請求項２に記載の発明のように、前記情報センターは、前記配電対象地域に属する各建物の消費電力量のうち前記対応付けられた時刻が同一である各建物の消費電力量を集計し、該集計された消費電力量が所定の閾値以上となった時刻をピーク時間帯が始まった時刻とすると共に、前記集計された消費電力量が前記所定の閾値未満となった時刻を前記ピーク時間帯が終了した時刻とし、前記ピーク時間帯において前記配電対象地域に属する各建物の消費電力量の順位を算出してもよい。これによって、電力供給が逼迫しているピーク時間帯において、各建物のユーザに節電を喚起できる。
【００１４】
また、請求項３に記載の発明のように、前記情報センターは、前記ピーク時間帯が始まった時刻に、前記ピーク時間帯の開始情報を前記配電対象地域に属する各建物に配信し、前記表示手段は、音声出力が可能な音声出力手段をさらに備え、前記受信手段が前記ピーク時間帯の開始情報の通知を受信した場合に、前記ピーク時間帯の開始を表示すると共に、警告音を出力するようにしてもよい。これによって、ピーク時間帯が始まったことをユーザに報知できる。
【００１５】
また、請求項４に記載の発明のように、前記情報センターは、前記配電対象地域に供給可能な電力量の情報を前記系統電力の供給者から受信し、前記配電対象地域に供給可能な電力量の情報と前記配電対象地域に属する各建物の消費電力量と該消費電力量に対応付けられた時刻とに基づいて、前記配電対象地域における電力供給の余力を実時間処理で算出し、該算出した前記配電対象地域における電力供給の余力情報を前記配電対象地域に属する各建物に配信し、前記表示手段は、前記実時間処理で算出された前記配電対象地域における電力供給の余力を表示するようにしてもよい。これによって、ユーザに配電対象地域の電力供給の余力を認識させ、節電を喚起できる。
【００１６】
また、請求項５に記載の発明のように、前記情報センターは、前記配電対象地域に属する建物が系統電力以外の他の電源から電力供給が可能な場合に、該他の電源から電力供給を受けたときの前記配電対象地域に属する各建物の消費電力量の順位を予測してもよい。これによって、消費電力量が予測でき、当該予測に基づいた節電を実行できる。
【００１７】
また、請求項６に記載の発明のように、前記情報センターは、前記配電対象地域に属する複数の建物のいくつかは系統電力以外の他の電源から電力供給が可能な場合に、該他の電源から電力供給を受けたときの前記配電対象地域に属する各建物の消費電力量の順位を予測してもよい。これによって、系統電力以外の他の電源を用いた場合の実情に合致した消費電力量の順位を予測することができる。
【００１８】
また、請求項７に記載の発明のように、前記建物の分電盤が有する複数の分岐回路に各々設けられ、前記複数の分岐回路に各々接続されている電力負荷手段への通電電流の電流値を計測する複数の分岐回路電流計測手段をさらに備え、前記電力算出手段は、前記複数の分岐回路電流計測手段が計測した電流値を取得し、該取得した電流値から各分岐回路の消費電力量を該電流値を取得した時刻と対応付けて算出し、前記表示手段は、前記各分岐回路の消費電力及び該消費電力量に対応付けられた時刻をさらに表示可能であってもよい。これによって、ユーザは分岐回路毎の消費電力量を把握でき、節電すべき分岐回路を判断できる。
【００１９】
また、前記表示手段は、
前記電力算出手段が算出した前記建物の消費電力量及び前記各分岐回路における消費電力量を表示可能な第１の表示手段と、前記受信手段が前記情報センターから受信した情報を表示する第２の表示手段と、を含むようにしてもよい。これによって、第１の表示手段が、外部からの不正アクセスを受けるおそれが軽減される。
【発明の効果】
【００２０】
以上説明したように本発明によれば、各建物の消費電力量に基づいて算出された電力が供給されている地域内での各建物の消費電力量の順位を各建物において表示させることにより、各建物の電力のユーザに節電を喚起する電力管理システムを提供することができる。
【図面の簡単な説明】
【００２１】
【図１】本発明の実施の形態に係る電力管理システムの一例を示す概略図である。
【図２】本発明の実施の形態に係る給電制御システムに含まれるＨＥＭＳの概略構成を示すブロック図である。
【図３】本発明の実施の形態に係る電力管理システムにおける情報センターが算出した配電対象地域内の消費電力量と当該配電対象地域内に供給可能な電力量とを対比させた図である。
【図４】本発明の実施の形態に係る電力管理システムで表示される消費電力量の順位の一例を示す図である。
【図５】本発明の実施の形態に係る電力管理システムで表示される配電対象地域内の個々の建物の時系列での消費電力量の一例を示す図である。
【図６】本発明の実施の形態に係る電力管理システムで表示される個々の建物の各分岐回路での消費電力量の一例を示す図である。
【発明を実施するための形態】
【００２２】
以下、図面を参照して本発明の実施の形態を詳細に説明する。図１は、本実施の形態に係る電力管理システム１００の概略構成を示すブロック図である。
【００２３】
図１では、電力会社の発電所又は変電所等の配電設備１０から供給される系統電力の電力が、建物１２Ａ、１２Ｂ、１２Ｃ及び１２Ｄの各々に供給されている。建物１２Ａ、１２Ｂ、１２Ｃ及び１２Ｄは、同一の配電設備１０から電力が供給される地域（以下、当該地域を「配電対象地域」とする）に属している。
【００２４】
なお、図１において、実線は電力の供給に係る電力線を表すものとし、破線は、ネットワーク等の、情報通信が行われる情報線を表すものとする。
【００２５】
また、本実施の形態では、建物１２Ａ〜１２Ｄの構成は同一であるので、以下、建物１２Ａの構成を中心に、本実施の形態に係る電力管理システムの説明をする。
【００２６】
図１で、系統電力は、建物１２Ａでは、分電盤１４に供給されている。
【００２７】
分電盤１４には、系統電力から供給された電力の電流値を計測する主幹電流センサ１６が設けられている。
【００２８】
また、分電盤１４は、複数の分岐回路毎に系統電力から供給された電力を分配し、各分岐回路は、図示しない建物１２Ａの居室及び建物１２Ａ内の電気機器等の電力負荷に電力を供給する。
【００２９】
複数の分岐回路の各々には、各分岐回路の電流値を計測する分岐回路電流センサ１８Ａ〜１８Ｊが各々設けられている。
【００３０】
主幹電流センサ１６及び分岐回路電流センサ１８Ａ〜１８Ｊには、主幹電流センサ１６が計測した電流値を取得し、取得した電流値から建物１２Ａの消費電力量を、当該電流値を取得した時刻と対応付けて算出し、分岐回路電流センサ１８Ａ〜１８Ｊが計測した電流値を取得し、取得した電流値から各分岐回路の消費電力量を、当該電流値を取得した時刻と対応付けて算出する電力算出部２０が接続されている。
【００３１】
建物内に供給される電力の電圧は略１００Ｖなので、本実施の形態では、主幹電流センサ１６及び分岐回路電流センサ１８Ａ〜１８Ｊが計測した電流値に１００を乗じた値を消費電力量として算出する。
【００３２】
しかしながら、接続される電力負荷の特性等によって、電圧の変動が考えられる場合には、主幹電流センサ１６の付近及び各分岐回路に電圧を測定する手段を別途備え、当該手段が計測した電圧値と主幹電流センサ１６及び分岐回路電流センサ１８Ａ〜１８Ｊが計測した電流値とを乗算して、消費電力量を算出してもよい。
【００３３】
また、電力算出部２０には、シリアル通信等によって操作端末であるＨＥＭＳ（Home Energy Management System）３０が接続されている。
【００３４】
ＨＥＭＳ３０は、例えばブロードバンド・ネットワークのような通信回線２６を介して情報センター６０に接続されており、通信回線２６を通じて、電力算出部２０が算出した消費電力量を当該消費電力量に対応付けられた時刻の情報と共に情報センター６０に送信する。
【００３５】
情報センター６０は、建物１２Ａの他にも建物１２Ｂ、１２Ｃ及び１２Ｄ等の、建物１２Ａが属している配電対象地域内の他の建物から、時刻が対応付けられている消費電力量を受信し、受信した消費電力量に基づいて、配電対象地域に属する各建物の消費電力量の順位の情報を各々算出し、算出した消費電力量の順位の情報を、通信回線２６を通じて各建物に配信する。
【００３６】
また、本実施の形態では、ＨＥＭＳ３０で情報センター６０が算出した消費電力量の順位の情報を受信して、ＨＥＭＳ３０の表示部に表示するようにしてもよいが、図１に示したように、別途、情報表示用の操作端末３２を備え、有線ネットワーク又は広域無線ネットワークによる通信回線２８を通じて情報センター６０からの情報を操作端末３２で受信するようにしてもよい。
【００３７】
ＨＥＭＳ３０は、建物の電力供給の制御を司っているので、外部からの不正アクセスによって制御が阻害されると、場合によっては、甚大な被害を蒙るおそれがある。
【００３８】
本実施の形態では、外部の通信回線を通じた情報の受信は、ＨＥＭＳ３０以外の端末に担わせることにより、ＨＥＭＳ３０が外部からの不正アクセスを受ける危険を低減するようにしている。
【００３９】
なお、操作端末３２は、情報センター６０からの情報を受信可能な受信部と、情報を表示可能な表示部と、操作端末３２を操作するためのタッチパネル、キーボード又はマウス等の少なくともいずれか１つを備えた情報通信機器であればよく、例えば、パソコン又は携帯情報端末等の機器を使用できる。
【００４０】
図２は、本発明の実施の形態に係る給電制御システム１００に含まれるＨＥＭＳ３０の概略構成を示すブロック図である。
【００４１】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００４２】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用するようにしてもよいし、タッチパネルの他に操作ボタンを備えるようにしてもよい。
【００４３】
メモリ５０には、建物内の電力供給に関する各種制御や表示部４６に表示するための表示制御等を行うためのプログラム、分電盤１４の制御を行うためのプログラム、並びにこれらのプログラムを実行するための各種情報等が記憶されており、メモリ５０に記憶されたプログラムをＲＡＭ４０等に展開してＣＰＵ３６が実行することにより、建物内の電力供給に関する各種制御や表示制御等の制御を行うようになっている。
【００４４】
さらに、入出力ポート６２には、電力算出部２０及び通信回線２６を介して情報の送信又は受信をするためのネットワークインタフェース２４が接続されている。
【００４５】
また、図１において、情報センター６０は、上記の配電対象エリアに供給可能な電力を情報センター６０に逐次通知する電力会社の管理センター６２とも、別途通信回線で接続されている。
【００４６】
情報センター６０は、管理センター６２から通知された、上記の配電対象エリアに供給可能な電力と、各建物から受信した各建物の消費電力量とから、当該配電対象地域での電力供給と消費電力量との対比を行うことが可能である。
【００４７】
図３は、本発明の実施の形態に係る電力管理システムにおける情報センター６０が算出した配電対象地域内の消費電力量と当該配電対象地域内に供給可能な電力量とを対比させた図である。
【００４８】
情報センター６０は、配電対象地域内の各建物から受信した消費電力量のうち、対応付けられた時刻が同じである消費電力量を集計し、グラフ化する。
【００４９】
グラフの形式は種々考えられるが、管理センター６２から取得した供給可能な電力量の情報と地域の各建物から送信された各建物の時刻に対応付けられた消費電力量とに基づいて、配電対象地域における電力供給の余力を実時間処理で算出した結果を表示することが考えられる。
【００５０】
図３では、建物１２Ａが属する配電対象地域へ供給可能な電力量の上限を１００％で表現し、集計した消費電力量を供給可能な電力量に対する百分率で、１時間毎に表示している。
【００５１】
従って、１００％と、供給可能な電力量に対する消費電力の百分率の値との差から、配電対象地域における電力供給の余力を実時間処理で算出した結果を把握できる。
【００５２】
また、情報センター６０は、各建物の消費電力量の集計が所定の閾値以上となった時刻を、配電対象地域における１日の消費電力量が極大となるピーク時間帯が始まった時刻であるとする。
【００５３】
上記の所定の閾値は、種々の値を想定できるが、例えば、その配電対象地域に供給可能な電力量の８０％程度とすることが考えられる。
【００５４】
また、情報センターは、各建物の消費電力量の集計が所定の閾値未満となった時刻を、ピーク時間帯が終了した時刻であると認識する。
【００５５】
情報センター６０は、ピーク時間帯が始まったと判断した場合、その旨の通知を配電対象地域内の各建物に配信し、各建物では、受信した当該通知に基づいて、音声、文字又は画像の少なくともいずれか１つを用いて、ユーザにピーク時間帯が始まったことを報知してもよい。
【００５６】
例えば、ＨＥＭＳ３０の表示部４６に、図３のようなピーク時間帯が目立つように着色されたグラフを表示する等によりピーク時間帯の開始情報を文字又は画像で示してもよいし、ＨＥＭＳ３０に音声を出力可能な手段としてスピーカー又はブザー等を設け、当該手段を用いて警告音を出力するようにしてもよい。
【００５７】
図４は、本実施の形態に係る電力管理システムにおける各々の建物の消費電力量の順位の一例を示す図である。
【００５８】
情報センター６０は、配電対象地域内の各建物の消費電力量を集計し、図４に示すような各建物の順位を示すグラフにして、配電対象地域内の各建物に配信する。
【００５９】
なお、図４に示した順位の算出は、前述のピーク時間帯が始まった時刻に開始し、ピーク時間帯が終了した時刻まで行うようにしてもよい。また、図４のような形式以外にも、各建物の順位を示す表でもよいし、横軸に消費電力量、縦軸に建物の数をとった正規分布曲線のグラフを作成し、各建物が、当該グラフのどの位置にあるかを示すようにしてもよい。
【００６０】
図５は、本実施の形態に係る電力管理システムで表示される建物１２Ａの時系列での消費電力量の一例を示す図である。
【００６１】
図５で示した建物の時系列での消費電力量は、建物１２Ａ〜１２Ｄの電力算出部２０が算出したものである。算出された消費電力量はＨＥＭＳ３０において図５のようなグラフに編集され、ＨＥＭＳ３０の表示部４６に表示される。
【００６２】
本実施の形態では、各建物の消費電力の順位が図４のように示されるので、それによって、各建物における節電を喚起する。
【００６３】
その結果、図５のように、ピーク時間帯における建物１２Ａの消費電力量を低下させることができる。
【００６４】
このように、本実施の形態に係る電力管理システムによれば、建物のユーザに節電を喚起することにより、当該建物での使用電力量を削減することが可能であり、さらには、配電対象地域全体での節電にも効果がある。
【００６５】
また、本実施の形態では、各分岐回路の消費電力量を計測しているので、計測した各分岐回路での消費電力量を、ＨＥＭＳ３０の表示部４６にグラフ化して表示することができる。
【００６６】
図６は、本実施の形態に係る電力管理システムで表示される建物１２Ａでの各分岐回路での消費電力量の一例を示す図である。
【００６７】
ユーザは、図４の順位を見て、自分の建物の消費電力量をより低減させたい場合は、図６を確認することにより、突出して消費電力量の高い箇所を把握できる。
【００６８】
図６では、キッチン、居室２又は居室４の消費電力量が高いことが示されているので、例えば、居室４には誰も居ないのに、エアコンが作動していたような場合であれば、居室４のエアコンをオフにすることにより、建物の消費電力量を削減することができる。
【００６９】
なお、図６の横軸の表示は、「キッチン（分岐回路Ｂ）」としたが、キッチンに電子レンジと照明が備わっているのであれば、「キッチン：電子レンジ、照明（分岐回路Ｂ）」というように、分岐回路に接続されている機器を示すようにしてもよい。
【００７０】
また、本実施の形態では、情報センター６０は、配電対象地域の各建物から送信された消費電力量及び配電対象地域の各建物から送信された各建物の消費電力量に基づいて算出した配電対象地域に属する各建物の消費電力量の順位を記憶し、記憶した各建物の消費電力量及び配電対象地域に属する各建物の消費電力量の順位に基づいて、事前に配電対象地域に属する各建物の消費電力量の順位を予測するようにしてもよい。
【００７１】
さらに本実施の形態では、配電対象地域の建物が系統電力以外の他の電源から電力供給が可能な場合に、当該他の電源から電力供給を受けたときの配電対象地域に属する各建物の消費電力量の順位を予測するようにしてもよい。
【００７２】
この場合、情報センター６０は、各建物が備える他の電源の電力供給能力を予め把握しておき、把握した各建物の他の電源の電力供給量と、記憶している消費電力量及び配電対象地域に属する各建物の消費電力量の順位とに基づいて、当該他の電源から電力供給を受けたときの配電対象地域に属する各建物の消費電力量の順位を予測する。
【００７３】
系統電力以外の他の電源としては、系統電力から供給された電力を平時において蓄えた蓄電池、燃料電池、ガスエンジンによる発電装置又は太陽光発電装置等が考えられる。
【００７４】
さらには、建物１２Ａ〜１２Ｄが、ＥＶ（Electric Vehicle）、ＨＶ（Hybrid Vehicle）又はＰＨＶ（Plug-in Hybrid Vehicle）等の車両と分電盤１４とを電気的に接続可能な車両連結部（図示せず）を有し、当該車両連結部を介して当該車載蓄電池が蓄えた電力を建物で使用可能な場合は、これらの車両の車載蓄電池を他の電源としてもよい。
【符号の説明】
【００７５】
１０  配電設備
１２Ａ、１２Ｂ、１２Ｃ、１２Ｄ  建物
１４  分電盤
１６  主幹電流センサ
１８Ａ〜１８Ｊ  分岐回路電流センサ
２０  電力算出部
２４  ネットワークインタフェース
２６、２８  通信回線
３０  ＨＥＭＳ
３２  操作端末
３６  ＣＰＵ
３８  ＲＯＭ
４０  ＲＡＭ
４２  入出力ポート
４４  バス
４６  表示部
４８  操作部
５０  メモリ
６０  情報センター
６２  管理センター
１００  電力管理システム
【図１】
2014023378.tif 000003
【図２】
2014023378.tif 000004
【図３】
2014023378.tif 000005
【図４】
2014023378.tif 000006
【図５】
2014023378.tif 000007
【図６】
2014023378.tif 000008